(57)【要約】【課題】送風効率が悪化することなく左右均等に送風され、且つ、散布方向を可変することを可能とし、薬液散布作業を現場に合わせて無駄なく効果的に行うことのできるスピードスプレヤーを提供する。【解決手段】軸流送風機と、噴霧装置からなる散布装置を進行方向に対し左右対称に配置したことにより、左右均等に送風され、送風効率が向上し、薬液散布作業が無駄なく効率的に行える。又、左右対称に配置した散布装置は、軸流送風機の回転軸を回動中心とし独立して回動するよう構成したことにより、左右それぞれ独立して散布方向を可変することが可能となり、棚作、わい化、傾斜地の各栽培形態に対応した薬液散布作業を効率良く行える。【選択図】      図３
2005021848.tif 000002
【特許請求の範囲】
【請求項１】
軸流送風機と、噴霧装置からなる散布装置を進行方向に対し左右対称に配置したことを特徴としたスピードスプレヤー。
【請求項２】
左右対称に配置した散布装置は、軸流送風機の回転軸を回動中心とし独立して回動するよう構成したことを特徴とした請求項１記載のスピードスプレヤー。
【発明の詳細な説明】
【０００１】
【発明の属する技術分野】
本発明は、スピードスプレヤーの散布装置の構成に関するもので、特に散布領域を可変する構成に係るものである。
【０００２】
【従来の技術】
従来、果樹園等の圃場において、スピードプレーヤで薬液散布作業を行う場合には、作業現場の条件に応じて薬液の散布方向を変更していた。すなわち、スピードスプレーヤの走行路に対し樹葉群がトンネル状に頭上を覆う樹形の場合には、左右対称の標準的送風パターンによる薬液散布でよく、特に問題は生じないが、棚作栽培の横長形散布が必要な場合、わい化栽培の縦長形散布、あるいは傾斜地栽培において傾斜形の散布が必要な場合には、前記標準的送風パターンのままでは不必要な方向への送風及び薬液散布が行われたり、必要な部位へ十分な散布が行なえないことがあった。
【０００３】
このような課題に対し、薬液散布作業を無駄なく効果的に行うため、スピードスプレーヤの軸流送風機の風胴外周に沿って円弧状に開口した吐出口に複数個の噴霧ノズルを左右両群の系統に分けて設置し、前記吐出口の内側に設けた互いに相隣接すると共に左右両群の系統に分けて配置された複数個の気流案内板の回動に連動して、この気流案内板のそれぞれと対応関係に配置された噴霧ノズルを、前記気流案内板の回動方向と実質的に共通な方向に回動させることができるようにしたスピードスプレヤーが提案されている。（特許文献１）
【０００４】
【特許文献１】
特公昭４７−５７０２号公報
【０００５】
【発明が解決とようとする課題】
前記従来技術の構成では、送風機の風胴を出た風を一度障壁に当てて強制的に略９０度偏向し吐出し、吐出口部には気流案内板が設けられ、この気流案内板にて更に強制的にもう一度偏向するものであり、吐出口より吐出された導風に対して気流案内板で強制的に指向性を持たせ、薬液の散布方向を可変する方式であるが、気流案内板の回動角度に対応した送風パターンとなるため、薬液の散布方向を大きく変更することが困難である。又、送風機の風胴を出た風を気流案内板にて強制的に左右対称となるよう偏向するので送風効率が悪化し易いという課題がある。
【０００６】
そこで本発明は、送風効率が悪化することなく左右均等に送風され、且つ、散布方向を可変することを可能とし、薬液散布作業を現場に合わせて無駄なく効果的に行うことのできるスピードスプレヤーを提供することを目的とする。
【０００７】
【課題を解決するための手段】
前記した課題を解決するため、軸流送風機と、噴霧装置からなる散布装置を進行方向に対し左右対称に配置したことにより、左右均等に送風され、送風効率が向上し、薬液散布作業が無駄なく効率的に行える。
【０００８】
又、左右対称に配置した散布装置は、軸流送風機の回転軸を回動中心とし独立して回動するよう構成したことにより、左右それぞれ独立して散布方向を可変することが可能となり、棚作、わい化、傾斜地の各栽培形態に対応した薬液散布作業を効率良く行える。
【０００９】
【発明の実施の形態】
以下、本発明の実施の形態を図面に基づいて説明する。図１は本発明におけるスピードスプレヤーの一部断面とした側面図、図２は一部断面とした平面図、図３は後面図、図４は要部を示す側面図、図５は駆動伝達を示す後面図、図６は操作パネルの平面図、図７は各栽培形態の対応した薬液散布作業を示す作用図である。
【００１０】
図１，図２及び図３に示すように、本発明におけるスピードスプレヤーは、台車枠１上に順次運転席２、薬液タンク３、駆動室４、散布部５を載置し構成される。
【００１１】
１の台車枠は前輪１１，１１及び後輪１２，１２からなる車輪と、後輪１２を左右に連結し駆動する走行ミッション１３から構成される。
【００１２】
走行ミッション１３は、図４に示すように油圧ポンプと油圧モータで構成された走行用の油圧式無段変速機と、ステアリング用の油圧式無段変速機と、この２つの油圧式無段変速機にそれぞれ回転動力を入力する走行用入力軸１３ａと、ステアリング用入力軸１３ｂを前方に突設し２つの油圧式無段変速機にて変速され回転する左右に突設した一対の車軸１３ｃＬ，１３ｃＲと、側面に車軸１３ｃＬ，１３ｃＲの変速を制御する第１変速ブラケット１３ｄと第２変速ブラケット１３ｅを設けてなる操向駆動装置である。
【００１３】
第１変速ブラケット１３ｄは、左右に突設された一対の車軸１３ｃＬ，１３ｃＲの回転数及び回転方向、即ち車体の走行速度と前後進及び停止の制御を行うもので、第１変速ブラケット１３ｄの回動角度に応じ、比例した走行速度と進行方向を得ることができる。
【００１４】
第２変速ブラケット１３ｅは、回動することにより左右の一対の車軸１３ｃＬ，１３ｃＲを独立して回転させることが可能としてあり、回動角度に応じ左右一対の車軸１３ｃＬ，１３ｃＲに回転数の差が生じ、車体を右旋回及び左旋回させることが可能となる。
【００１５】
２の運転席は、座席２１と前後に回動可能に支持された走行変速レバー２２と、車体を操舵するハンドル２３と、走行駆動の伝達制御を行うクラッチペダル２４と、車体を制動するブレーキペダル２５と、散布部５を制御するバルブ２６からなり車体の走行を制御する。又、ハンドル２３には操作パネル２７が設けられる。
【００１６】
走行変速レバー２２の下端と、走行ミッション１３の第１変速ブラケット１３ｄは、台車枠１の略中央部に設けられた変速リンク１４を介し、操作ロット１５と第１変速ロット１６にて連結され、走行変速レバー２２を前方に回動させると変速リンク１４を介し、連動して第１変速ブラケット１３ｄを回動させ、車体を前進させる。又、走行変速レバー２２を後方に回動させると変速リンク１４を介し、連動して第１変速ブラケット１３ｄを回動させ車体は後進される。又、走行変速レバー２２の回動量に応じ走行速度が変化する。
【００１７】
ハンドル２３の下端と、走行ミッション１３の第２変速ブラケット１３ｅは、変速リンク１４を介し操作ワイヤ１７と第２変速ロット１８に連結され、水平方向に回動するハンドル２３のわずかな切れ角に応じ操作ワイヤ１７を押し引きし、変速リンク１４を介し第２変速ロット１８が、第２変速ブラケット１３ｅを回動させる。ハンドル２３を右に切ると、走行ミッション１３の右側の車軸１３ｃＲが減速されるとともに左側の車軸１３ｃＬを増速させ、左右の車軸１３ｃＬ，１３ｃＲに回転数の差を生じさせ車体を右旋回させる。又、ハンドル２３を左に切ると、走行ミッション１３の左側の車軸１３ｃＬが減速されるるともに右側の１３ｃＲを増速させ、左右の車軸１３ｃＬ，１３ｃＲに回転数の差を生じさせ車体を左旋回させる。
【００１８】
クラッチペダル２４は、踏み込むことにより走行変速レバー２２を強制的にニュートラルポジションへ移動させる。即ち連動する走行ミッション１３の第１変速ブラケット１３ｄをニュートラルポジションへ移動させ、車体を停止させることができる。ブレーキペダル２５は、制動装置へ連結され踏み込むことで車体の走行速度を制御する。
【００１９】
薬液タンク３は、果樹木等に散布する薬液を貯留可能とし、駆動室４は、内部にエンジン４１と動噴ポンプ４２が配置される。図５に示すように、エンジン４１の後方に突設されるエンジン出力軸４１ａには、小径のエンジンプーリ４３ａが設けられ、前記走行ミッション１３の走行用入力軸１３ａには大径の走行プーリ４３ｂと、ステアリング用入力軸１３ｂにはステアリングプーリ４３ｃが設けられ、エンジンプーリ４３ａと走行プーリ４３ｂ及びステアリングプーリ４３ｃにはベルト４４を巻架される。
【００２０】
走行用入力軸１３ａに設けた走行プーリ４３ｂは、ベルト４４が巻架される大径のベルト溝と、この大径のベルト溝より径を小さくした小径のベルト溝を有し２段で形成され、走行プーリ４３ｂの小径のベルト溝と、動噴ポンプ４２の動噴駆動軸４２ａに設けられる大径の動噴プーリ４５にベルト４６が巻架される。
【００２１】
このように構成することにより、エンジン出力軸４１ａより出力された回転動力は、ベルト４４を介して走行ミッション１３の走行用入力軸１３ａとステアリング用入力軸１３ｂに減速され入力し、車体を操向駆動可能する。そして、走行プーリ４３ｂの小径のベルト溝よりベルト４６を介して動噴ポンプ４２の動噴プーリ４５へさらに減速され動力伝達され、動噴ポンプ４２は常用回転数で駆動される。駆動された動噴ポンプ４２は、薬液タンク３内に貯留した薬液に圧力を加え散布部５へ送る。
【００２２】
散布部５は、前記台車枠１の後方端部に立設した支持フレーム５４に、軸流送風機５２と、噴霧装置５３からなる散布装置５１を進行方向に対し後方視にて左右対称に一対配置される。
【００２３】
支持フレーム５４には、散布装置５１を左右対称に支持するため前後方向に開口部を有する支持ボス５４ａ，５４ａを進行方向に対し後方視にて左右対称に設けてある。以下、軸流送風機５２及び噴霧装置５３からなる散布装置５１は、左右対称に同一構成としてあるため、一方の構成について説明する。
【００２４】
軸流送風機５２は、前記支持フレーム５４の支持ボス５４ａに回転可能に軸支された回転軸５２ａと、回転軸５２ａに固着され回転中心より放射状に複数枚の羽根を設けた送風ファン５２ｂと、送風ファン５２ｂの後方に回転軸５２ａを回動中心とし回動可能とし送風ファン５２ｂの外周部を覆う風胴５２ｃから構成される。風胴５２ｃは、図３に示すように後面視にて扇状とし、側部から上部にかけた円弧部側面に開口部ａが形成されている。
【００２５】
噴霧装置５３は、前記軸流送風機５２の風胴５２ｃに開口した開口部ａの円弧と同形状に形成した噴霧パイプ５３ａと、この噴霧パイプ５３ａに適宜間隔を置いて噴霧ノズル５３ｂが複数個設けられ構成され、前記軸流送風機５２の風胴５２ｃに開口した開口部ａの外周部に配置される。
【００２６】
このように、散布装置５１は、軸流送風機５２と噴霧装置５３が一体化され、進行方向に対し左右対称に配置し、軸流送風機５２の回転軸５２ａ回動中心とし回動させることにより、散布方向を独立して可変することが可能となる。
【００２７】
左右に設けた送風ファン５２ｂ，５２ｂを回転させるためエンジン４１のエンジン出力軸４１ａに設けたエンジンプーリ４３ａの後方端面より伝達軸４７が突設され、この伝達軸４７の後方端部には電磁クラッチ４８が設けてあり、この電磁クラッチ４８と送風ファン５２ｂ，５２ｂが固着された回転軸５２ａ，５２ａの前方端部に設けたファン駆動プーリ５５，５５へベルト４９，４９が巻架され、送風ファン５２ａ，５２ａが回転可能となる。
【００２８】
後方視左右対称に配置された散布装置５１，５１を構成する軸流送風機５２，５２の風胴５２ｃ，５２ｃと、台車枠１とにそれぞれアクチュエータが架設される。本実施例ではアクチュエータに電動油圧シリンダ６，６を用いる。この電動油圧シリンダ６，６を伸縮動作させることにより軸流送風機５２，５２の風胴５２ｃ，５２ｃの回動量を制御することが可能となり、散布装置５１，５１の散布方向をそれぞれ可変することが可能となる。
【００２９】
図６に示すように、ハンドル２３の上部に設けた操作パネル２７は、エンジン４１を始動するキースイッチ２７ａと、エンジン４１の回転数を制御するアクセル２７ｂと、エンジンの回転数を表示する計器である回転計２７ｃと送風ファン５２を起動する起動スイッチ２７ｄと、散布方向を可変する方向制御ダイヤル２７ｅＬ，２７ｅＲと、ニュートラルポジションを示す表示灯２７ｆが設けられている。
【００３０】
散布方向を可変する方向制御ダイヤル２７ｅＬ，２７ｅＲは、台車枠１と左右の散布装置５１，５１にそれぞれ架設した電動油圧シリンダ６，６の伸縮量を調節するもので、方向制御ダイヤル２７ｅＬは、後方視左側に備えた散布装置５１の電動油圧シリンダ６に対応し、方向制御ダイヤル２７ｅＲは、後方視右側に備えた散布装置５１の電動油圧シリンダ６に対応し、方向制御ダイヤル２７ｅＬ，２７ｅＲの回動量に応じて風胴５２ｃ，５２ｃの開口部ａ，ａがそれぞれ移動し任意の散布方向へ指向される。
【００３１】
散布作業及び各部の作用は、操作パネル２７のキースイッチ２７ａを回しエンジン４１を起動させ、アクセル２７ｂにてエンジン４１の回転数を上げ、この時回転計２７ｃにエンジン回転数が表示されるので作業に合った回転数を選択する。エンジン４１より出力される回転動力は、ベルト４４を介し走行ミッション１３へ伝達され、ベルト４６を介し動噴ポンプ４２へ伝達される。走行変速レバー２２を前後に回動させることにより、ニュートラルポジションを示す表示灯２７ｆは消灯し、車体は前後進する。
【００３２】
動噴ポンプ４２は薬液タンク３に貯留した薬液を吸い込み加圧する。起動スイッチ２７ｄを押すと電磁クラッチ４８が作動し、ベルト４９，４９を介し左右の散布装置５１，５１構成する軸流送風機５２，５２の回転軸５２ａ，５２ａへ動力伝達され回転軸５２ａ，５２ａに固着された送風ファン５２ｂ，５２ｂを回転駆動する。そして、座席２１の下部に設けられたバルブ２６を開くことにより、動噴ポンプ４２にて加圧された薬液は、散布装置５１，５１を構成する噴霧装置５３，５３の噴霧パイプ５３ａ，５３ａを通過し、噴霧ノズル５３ｂ，５３ｂより噴霧され、回転する送風ファン５２ｂ，５２ｂにて発生し、開口部ａより送風される風の流れに乗り果樹木へ散布される。
【００３３】
回動可能に備えた風胴５２ｃ，５２ｃに架設した電動油圧シリンダ６，６を操作パネル２７に備えた方向制御ダイヤル２７ｅＬ，２７ｅＲにて伸縮動作させ、図７（イ）に示すように、左右の電動油圧シリンダ６，６が最伸長した位置で棚作用に最も適した散布方向が得られ、電動油圧シリンダ６，６を除々に収縮させ、図７（ロ）に示すように、わい化栽培に適した散布方向が得られる。又、電動油圧シリンダ６，６を独立して伸縮させ、散布装置５１，５１を傾斜地に対し谷側及び山側に向けそれぞれ指向性をもたせることにより、図７（ハ）に示すように、傾斜地栽培に適した散布方向が得られる。
【００３４】
本実施例では、散布装置５１，５１の散布方向を可変する手段として、アクチュエータである電動油圧シリンダ６，６を用いたが、他のアクチュエータである電動モータや油圧シリンダを用いても発明の主旨は変わらない。又、簡易な構成として回動調節ピンでの手動での係止手段を用いても発明の主旨は変わらない。
【００３５】
【発明の効果】
以上のように構成されたスピードスプレヤーは、散布部に備えた散布装置を左右対称に配置することにより左右均等に送風され送風効率が向上し、薬剤散布作業が無駄なく効率的に行える。
【００３６】
又、左右対称に配置された散布装置は、軸流送風機の回転軸を回動中心とし独立して回動するよう構成されるので、左右それぞれ独立して散布方向を可変することが可能となり、棚作、わい化、傾斜地の各栽培形態に対応した薬液散布作業を効率良く行える。
【図面の簡単な説明】
【図１】本発明におけるスピードスプレヤーの一部断面とした側面図
【図２】一部断面とした平面図
【図３】後面図
【図４】要部を示す側面図
【図５】駆動伝達を示す後面図
【図６】操作パネルの平面図
【図７】各栽培形態の対応した薬液散布作業を示す作用図
【符号の説明】
１      台車枠
１１    前輪
１２    後輪
１３    走行ミッション
１３ａ  走行用入力軸
１３ｂ  ステアリング用入力軸
１３ｃＬ，１３ｃＲ    車軸
１３ｄ  第１変速ブラケット
１３ｅ  第２変速ブラケット
１４    変速リンク
１５    操作ロット
１６    第１変速ロット
１７    操作ワイヤ
１８    第２変速ロット
２      運転席
２１    座席
２２    走行変速レバー
２３    ハンドル
２４    クラッチペダル
２５    ブレーキペダル
２６    バルブ
２７    操作パネル
２７ａ  キースイッチ
２７ｂ  アクセル
２７ｃ  回転計
２７ｄ  起動スイッチ
２７ｅＬ，２７ｅＲ    方向制御ダイヤル
２７ｆ  表示灯
３      薬液タンク
４      駆動室
４１    エンジン
４１ａ  エンジン出力軸
４２    動噴ポンプ
４２ａ  動噴駆動軸
４３ａ  エンジンプーリ
４３ｂ  走行プーリ
４３ｃ  ステアリングプーリ
４４    ベルト
４５    動噴プーリ
４６    ベルト
４７    伝達軸
４８    電磁クラッチ
４９    ベルト
５      散布部
５１    散布装置
５２    軸流送風機
５２ａ  回転軸
５２ｂ  送風ファン
５２ｃ  風胴
５３    噴霧装置
５３ａ  噴霧パイプ
５３ｂ  噴霧ノズル
５４    支持フレーム
５４ａ  支持ボス
５５    ファン駆動プーリ
６      電動油圧シリンダ
ａ      開口部
【図１】
2005021848.tif 000003
【図２】
2005021848.tif 000004
【図３】
2005021848.tif 000005
【図４】
2005021848.tif 000006
【図５】
2005021848.tif 000007
【図６】
2005021848.tif 000008
【図７】
2005021848.tif 000009